(57)【要約】      （修正有）【課題】簡便な構成により仕切幅を変更することができる仕切体を提供する。【解決手段】第１仕切部材と第２仕切部材とを備えた仕切体５０において、第１仕切部材は、第１底板５３と、第１底板５３から上方に延びる第１仕切板５４と、第１底板５３に設けられ横スリット５６とを備え、第２仕切部材は、第２底板５９と、第２底板５９から上方に延び横スリット５６に挿入される挿入仕切板６０とを備え、第１仕切部材５１は、横スリット５６に挿入仕切板６０が挿通され、第２底板５９の上に第１底板５３が重なり、第１仕切板５４と挿入仕切板６０とで空間を区画する。【選択図】図２
2017131330.tif 000002
【特許請求の範囲】
【請求項１】
第１仕切部材と第２仕切部材とを備えた仕切体において、
前記第１仕切部材は、第１底板と、前記第１底板から上方に延びる第１仕切板と、前記第１底板に設けられた横スリットとを備え、
前記第２仕切部材は、第２底板と、前記第２底板から上方に延び前記横スリットに挿入される挿入仕切板とを備え、
前記第１仕切部材は、前記横スリットに前記挿入仕切板が挿通され、前記第２底板の上に前記第１底板が重なり、前記第１仕切板と前記挿入仕切板とで空間を区画する仕切体。
【請求項２】
前記横スリットは、前記第１底板内で終端し、
前記第１仕切部材が前記第２仕切部材の上方より重ね合わせられ、前記挿入仕切板が下方から前記横スリットに挿入される請求項１に記載の仕切体。
【請求項３】
前記第２仕切部材は、前記挿入仕切板に対して間隔をあけて平行に設けられた前記横スリットに挿入されない第２仕切板を備え、
前記挿入仕切板は、前記挿入仕切板及び前記第２仕切板の並列方向に対して垂直に交差する交差方向の長さが、前記第２仕切板より短い請求項１又は２に記載の仕切体。
【請求項４】
前記第１仕切部材は、複数の前記第１仕切板が間隔をあけて互いに平行に設けられ、
前記第１底板は、前記第１仕切板の並列方向の端縁に前記第１仕切板が設けられている請求項１〜３のいずれか１項に記載の仕切体。
【請求項５】
前記第１仕切部材は、前記横スリットに対して垂直に交差する縦スリットを前記第１底板に備え、前記縦スリットに前記挿入仕切板が挿通されつつ、前記第２底板の上に前記第１底板が重なり、前記第１仕切板と前記挿入仕切板とで空間を区画する請求項１〜４のいずれ１項に記載の仕切体。
【請求項６】
前記第１仕切板及び第２仕切板の少なくとも一方は、上端から下方に凹んだ凹部を備える請求項１〜５のいずれか１項に記載の仕切体。
【発明の詳細な説明】
【技術分野】
【０００１】
本実施形態は、仕切体に関する。
【背景技術】
【０００２】
例えば、冷蔵庫の貯蔵室などに設けられる引き出し式の収納容器では、容器に収容物を立てて収納することで、容器内の収容物が見つけ出しやすくなるとともに収容物の出し入れが容易になる。そこで、立てて収納された収容物が転倒するのを防止する仕切体を容器に設けることが提案されている（例えば、下記特許文献１）。
【先行技術文献】
【特許文献】
【０００３】
【特許文献１】特開２０１０−９１２４９号
【特許文献２】特開２００４−３２９３１１号
【発明の概要】
【発明が解決しようとする課題】
【０００４】
上記した仕切体は、収納容器内の空間レイアウトを使用者の好みに応じて変更するため、容器に対して移動可能に設けられているが、仕切体の移動構造が複雑となる問題がある。特に、仕切体を容器の周壁等に対してスライド移動させる場合、仕切体をスライド移動容易に設けつつ仕切体による貯蔵物の支持力を確保することが困難となる。
【０００５】
そこで、簡便な構成により空間レイアウトを変更することができる仕切体を提供することを目的とする。
【課題を解決するための手段】
【０００６】
本実施形態の仕切体は、第１仕切部材と第２仕切部材とを備えた仕切体において、前記第１仕切部材は、第１底板と、前記第１底板から上方に延びる第１仕切板と、前記第１底板に設けられ横スリットとを備え、前記第２仕切部材は、第２底板と、前記第２底板から上方に延び前記横スリットに挿入される挿入仕切板とを備え、前記第１仕切部材は、前記横スリットに前記挿入仕切板が挿通され、前記第２底板の上に前記第１底板が重なり、前記第１仕切板と前記挿入仕切板とで空間を区画するものである。
【図面の簡単な説明】
【０００７】
【図１】第１実施形態に係る仕切体が設けられた冷蔵庫の断面図である。
【図２】第１実施形態に係る仕切体の分解斜視図である。
【図３】第１仕切部材の平面図である。
【図４】第２仕切部材の平面図である。
【図５】第１実施形態に係る仕切体の斜視図である。
【図６】図５のＡ−Ａ断面図である。
【図７】第１実施形態に係る仕切体の分解斜視図である。
【図８】第１実施形態に係る仕切体の斜視図である。
【図９】図８のＢ−Ｂ断面図である。
【図１０】変更例に係る仕切体の第１仕切部材の平面図である。
【発明を実施するための形態】
【０００８】
以下、本発明の一実施形態の仕切体５０について図面に基づいて説明する。本実施形態では、冷蔵庫１０の野菜室２４の収納容器２５や下段冷凍室１９の下段容器２９に仕切体４９、５０を設け、収納容器２５、２８内の空間を区画する場合について説明する。
【０００９】
冷蔵庫１０は、前面に開口部が形成された断熱箱体からなる冷蔵庫本体１１の内部に貯蔵空間が形成されている。この冷蔵庫本体１１は、鋼板からなる外箱１２と貯蔵空間を形成する内箱１３との間に真空断熱材や発泡断熱材など断熱部材１４を設けて構成されている。
【００１０】
冷蔵庫本体１１は内部が複数に区画され、前面に開口部を有する複数の貯蔵室を備えて構成される。具体的には、冷蔵庫本体１１は、最上部に位置して容積が最も大きい冷蔵室１５と、この冷蔵室１５の下方に設けられた野菜室１６と、野菜室１６の下方に断熱仕切壁２４を介して左右に並べて設けられた製氷室及び上段冷凍室１８と、製氷室及び上段冷凍室１８の下方に設けられた下段冷凍室１９とを備えて構成されている。
【００１１】
冷蔵庫本体１１の内部に区画形成された各貯蔵室１５、１６、１８、１９の前面開口部は、扉２０、２１、２３、２４によって開閉可能に閉塞されている。具体的には、冷蔵室１５の前面開口部は、冷蔵庫本体１１の左右両側に設けられたヒンジにより回動自在に枢支された左右一対の回動式の冷蔵室扉２０により閉塞されている。また、野菜室１６、製氷室、上段冷凍室１８及び下段冷凍室１９の前面開口部は、引き出し式の野菜室扉２１、製氷室扉、上段冷凍室扉２３、及び下段冷凍室扉２４によりそれぞれ閉塞されている。引き出し式の野菜室扉２１、製氷室扉、上段冷凍室扉２３、及び下段冷凍室扉２４の裏面側には、収納容器２５、２７、２８を保持する左右一対の支持枠が固着されており、開扉動作とともに収納容器２５、２７、２８が庫外へ引き出されるように構成されている。
【００１２】
製氷室及び上段冷凍室１８の背部には、冷却器４０と、冷却器４０で冷却された空気を各貯蔵室１５、１６、１８、１９に送風する冷却器ファン４１とを収納する冷却器室４２が配設されている。冷却器４０は、冷蔵庫本体１１の背面下部に設けた圧縮機４３や凝縮器４４や不図示の減圧装置とともに冷凍サイクルを構成し、圧縮機４３から吐出された冷媒が凝縮器４４及び減圧装置を介して冷却器４０に供給されることで冷却され、冷却器室４２内の空気を冷却する。冷却器４０で冷却された空気は、冷却器ファン４１によりダクト４５、４６を介して各貯蔵室１５、１６、１８、１９に導入され、各貯蔵室を所定の温度に冷却する。
【００１３】
上記構成の冷蔵庫１０において、野菜室１６及び下段冷凍室１９の内部に配設される収納容器２５、２８には、内部空間を区画する仕切体４９、５０が設けられている。なお、この実施形態では、野菜室１６及び下段冷凍室１９に設けられた収納容器２５、２８及び仕切体４９、５０は、大きさ及び形状が異なっているが、基本的な構成が共通しているため、ここでは下段冷凍室１９に設けられた収納容器２８及び仕切体５０について説明する。
【００１４】
下段冷凍室１９に設けられた収納容器２８は、下段容器２９と、下段容器２９の上方に設けられた上段容器３０とを備えた上下２段に重なり合う構造をなしている。
【００１５】
下段容器２９は、前方壁、後方壁、左右側壁によって囲まれた上方に開口する有底の箱状をなしており、上段容器３０に比べて下段容器２９の収容深さが深く設けられている。下段容器２９は、冷凍室扉２４の裏面側に固着された左右一対の支持枠に保持され、冷凍室扉２４の開扉動作とともに庫外へ引き出されるように構成されている。この下段容器２９には、下段容器２９の内部空間を区画する仕切体５０が収納されている。
【００１６】
上段容器３０は、前方壁、後方壁、左右側壁によって囲まれた上方に開口する有底の箱状をなしており、下段容器２９の左右側壁の上端に載置されている。上段容器３０は、透明樹脂材で成形され上段容器３０を通して下段容器２９の内部が上方より目視できるように構成されている。
【００１７】
上段容器３０は、冷凍室扉２４が閉扉された状態から開扉され下段容器２９が庫外へ引き出されると、下段容器２９の上面を覆った状態で下段容器２９とともに庫外へ引き出される。また、下段容器２９の上面を覆った上段容器３０は、下段容器３０の左右側壁の上端を後方へ摺動することで、下段容器２９の上面開口を開放する。
【００１８】
仕切体５０は、図2に示すように、第１仕切部材５１と第２仕切部材５２とを備え、第１仕切部材５１と第２仕切部材５２とを組み合わせて下段容器２９の内部空間を区画したり、あるいは、第１仕切部材５１と第２仕切部材５２とを分離し第１仕切部材５１及び第２仕切部材５２のいずれか一方によって下段容器２９の内部空間を区画することができる。
【００１９】
具体的には、第１仕切部材５１は、第２仕切部材５２の上に載置される第１底板５３と第１底板５３から上方に延びる平板状の第１仕切板５４とを備える。
【００２０】
第１仕切板５４は、所定の間隔をかけて互いに平行に複数（この例では、４枚）設けられている。複数の第１仕切板５４のうち並列方向Ｒ１の両端に位置する第１仕切板（以下、外側第１仕切板ということもある）５４ａ、５４ａは、第１底板５３の端縁に設けられている。複数の第１仕切板５４は、並列方向Ｒ１から見て重なる位置に上端から下方に凹んだ凹部５５が設けられている。外側第１仕切板５４ａ、５４ａの間に位置する第１仕切板（以下、内側第１仕切板ということもある）５４ｂ、５４ｂの間隔は、内側第１仕切板５４ｂ、５４ｂとその外側に位置する外側第１仕切板５４ａ、５４ａとの間隔より大きくなっている。
【００２１】
第１底板５３には、２枚の内側第１仕切板５４ｂ、５４ｂの間に第１底板５３を貫通する横スリット５６と縦スリット５７が設けられている。
【００２２】
横スリット５６は、第１仕切板５４の並列方向Ｒ１に対して垂直に交差する交差方向Ｓ１に延び、横スリット５６の両端が第１底板５３の縁端に開口せず第１底板５３内で終端している。
【００２３】
縦スリット５７は、横スリット５６に対して垂直に交差する方向、つまり、第１仕切板５４の並列方向Ｒ１に延び、２枚の内側第１仕切板５４ｂ、５４ｂの間から外側第１仕切板５４ｂ、５４ｂを貫通して外側第１仕切板５４ａ、５４ａと内側第１仕切板５４ｂ、５４ｂの間で終端している。
内側第１仕切板５４ｂ、５４ｂには、縦スリット５７が貫通する位置から上方へ延びる第１上下スリット５８が設けられており、縦スリット５７に第１上下スリット５８が接続されている。縦スリット５７の並列方向Ｒ１の長さは、横スリット５６の交差方向Ｓ１の長さと略同一長さに設けられている。
【００２４】
第２仕切部材５２は、下段容器２９の内底面上に載置される第２底板５９と、前記第２底板から上方に延び平板状の挿入仕切板６０及び第２仕切板６１とを備える。挿入仕切板６０及び第２仕切板６１は、並列方向Ｒ２に所定の間隔をあけて互いに平行に設けられ、この例では、２枚の第２仕切板６１の間に挿入仕切板６０が配置されている。
【００２５】
挿入仕切板６０は、水平面で切断した時の断面形状が、第１仕切部材５１に設けられた横スリット５６及び縦スリット５７より小さく、横スリット５６及び縦スリット５７に挿入可能に設けられている。また、挿入仕切板６０は、挿入仕切板６０及び第２仕切板６１の並列方向Ｒ２に対して垂直に交差する交差方向Ｓ２の長さが第２仕切板６１より短く、第２底板５９からの高さが第２仕切板６１より低くなっている。
【００２６】
挿入仕切板６０には、上端から下方に延びる一対の第２上下スリット６２が設けられている。この一対の第２上下スリット６２は、第１仕切部材５１に設けられた内側第１仕切板５４ｂ、５４ｂの間隔Ｗ１と等しい間隔Ｗ２を開けて挿入仕切板６０に設けられている（図２〜４参照）。
【００２７】
第２仕切板６１は、この例では、水平面で切断した時の断面形状が、第１仕切部材５１に設けられた横スリット５６及び縦スリット５７より大きく、横スリット５６及び縦スリット５７に挿入できないようになっている。また、２枚の第２仕切板６１には、並列方向Ｒ２から見て重なる位置に上端から下方に凹んだ凹部６３が設けられている。
【００２８】
２枚の第２仕切板６１は、対向面の間隔Ｌ２が、第１仕切部材５１の第１底板５３の並列方向Ｒ１の長さＬ１及び交差方向Ｓ１の長さＭ１より大きく（図２〜４参照）、図５、６、８及び９に示すように２枚の第２仕切板６１の内側に第１仕切部材５１が載置可能となっている。
【００２９】
より詳細には、図２に示すように第１仕切部材５１の並進方向Ｒ１を第２仕切部材５２の並進方向Ｒ２と一致させ、上方より第１仕切部材５１を第２仕切部材５２の２枚の第２仕切板６１の内側に配置すると、第１仕切部材５１の横スリット５６に第２仕切部材５２の挿入仕切板６０が下方より挿入され、図５及び６に示すように、第１仕切部材５１の第１底板５３が第２仕切部材５２の第２底板５９の上面に重なる。
【００３０】
これにより、第２仕切部材５２の挿入仕切板６０が、横スリット５６を通って第１仕切部材５１の第１底板５３の上方へ突出し、第１仕切部材５１の一対の内側第１仕切板５４ｂの間に内側第１仕切板５４ｂに対して平行に配置される。
【００３１】
このように第２仕切部材５２の上に第１仕切部材５１が配置されることで、２枚の第２仕切板６１の間が、外側第１仕切板５４ａと内側第１仕切板５４ｂや、内側第１仕切板５４ｂと挿入仕切板６０によって互いに平行な空間に区画される。また、第１仕切部材５１の第１仕切板５４に設けられた凹部５５と第２仕切部材５２の第２仕切板６１に設けられた凹部６３が、並列方向Ｒ１、Ｒ２から見て重なっている。
【００３２】
なお、この例では、第２仕切部材５２の第２仕切板６１の間隔Ｌ２が、第１仕切部材５１を配置可能なクリアランスを残して第１底板５３の並進方向Ｒ１の長さＬ１と略同一寸法に設けられているが、第２仕切板６１の間隔Ｌ２を第１底板５３の長さＬ１より長く設けることで、第１仕切部材５１の外側第１仕切板５４ａと第２仕切部材５２の第２仕切板６１との間にも空間を形成しても良い。
【００３３】
また、図７に示すように第１仕切部材５１の交差方向Ｓ１を第２仕切部材５２の並進方向Ｒ２と一致させ、上方より第１仕切部材５１を第２仕切部材５２の２枚の第２仕切板６１の内側に配置すると、第１仕切部材５１の縦スリット５７に第２仕切部材５２の挿入仕切板６０が下方より挿入され、図８及び９に示すように、第１仕切部材５１の第１底板５３が第２仕切部材５２の第２底板５９の上面に重なる。その際、内側第１仕切板５４ｂに設けられた第１上下スリット５８に挿入仕切板６０が挿入されるとともに、挿入仕切板６０に設けられた第２上下スリット６２に内側第１仕切板５４ｂが挿入される。
【００３４】
これにより、第２仕切部材５２の２枚の第２仕切板６１の間に第１仕切部材５１の第１仕切板５４が第２仕切板６１に対して直角に配置されるとともに、第２仕切部材５２の挿入仕切板６０が縦スリット５７を通って第１仕切部材５１の第１底板５３の上方へ突出して第１仕切板５４と直交し、２枚の第２仕切板６１の間が格子状の空間に区画される。
【００３５】
以上のような本実施形態では、第１仕切部材５１は、第１底板５３から上方に第１仕切板５４が延びており、第２仕切部材５２は、第２底板５９から上方に挿入仕切板６０が延びているため、第１仕切部材５１と第２仕切部材５２とを分離した状態で、いずれか一方の仕切部材を下段容器２９に配設したり、両方の仕切部材を下段容器２９に配設することで、下段容器２９の内部を区画することができる。
【００３６】
また、第１仕切部材５１には、第２仕切部材５２の挿入仕切板６０が挿入される横スリット５６が設けられているため、挿入仕切板６０を横スリット５６に挿入させつつ第２仕切部材５２の上に第1仕切部材５１を配置させた状態で仕切体５０を下段容器２９に配設することで、互いに平行に配置された第１仕切板５４と挿入仕切板６０との間で空間に区画することができる。
【００３７】
つまり、本実施形態の仕切体５０は、第１仕切部材５１及び第２仕切部材５２を分離した状態や組み合わせた状態で下段容器２９に配設することで、下段容器２９の内部をそれぞれ異なる形状に区画することができ、使用者が仕切の数や厚みを変更することができ使い勝手を向上することができる。
【００３８】
しかも、第１仕切部材５１には、第２仕切部材５２の挿入仕切板６０が挿入される縦スリット５７が横スリット５６に対して垂直に交差して設けられているため、挿入仕切板６０を縦スリット５７に挿入した状態で仕切体５０を下段容器２９に配設することで、互いに垂直に配置された第１仕切板５４と挿入仕切板６０とで空間に区画することができる。
【００３９】
また、本実施形態では、第１仕切部材５１の横スリット５６が第１底板５３内で終端し第１底板５３の端縁に開口していないため、第１仕切部材５１の強度を高めることができる。しかも、第１仕切部材５１を上下方向に移動させて第２仕切部材５２から着脱することができるため、仕切体５０を下段容器２９に配設する場合のように周囲が囲われた空間に仕切体５０を設ける場合であっても第１仕切部材５１を簡単に取り出すことができ、下段容器２９内の空間レイアウトを簡単に変更することができる。
【００４０】
また、第１仕切部材５１の第１底板５３では、第１仕切板５４の並列方向Ｒ１の端縁に第１仕切板５４が設けられているため、不要部分を削減し製造コストを削減することができる。
【００４１】
また、本実施形態では、第１仕切板５４や第２仕切板６１に上端から下方に凹んだ凹部５５、６３が設けられているため、第１仕切板５４や第２仕切板６１の間に収納された収容物を取り出しやすくなる。しかも、凹部５５、６３は、第１仕切板５４や第２仕切板６１の並列方向Ｒ１、Ｒ２から見て重なる位置に設けられているため、ペットボトルのような長い収容物を複数の凹部５５、６３に跨がるように収納することができ、下段容器２９の内部空間を有効利用することができる。
（変更例）
【００４２】
上記した実施形態では、第１仕切部材５１に設けられた横スリット５６が第１底板５３内で終端し第１底板５３の端縁に開口していない場合について説明したが、図１０に示すように横スリット５６の一端が第１底板５３の端縁に開口してもよい。
（他の実施形態）
【００４３】
上記した実施形態は例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態は、発明の範囲や要旨に含まれると同様に、特許請求の範囲に記載された発明とその均等の範囲に含まれるものである。
【符号の説明】
【００４４】
５０…仕切体、５１…第１仕切部材、５２…第２仕切部材、５３…第１底部、５４…第１仕切板、５４ａ…外側第１仕切板、５４ｂ…内側第１仕切板、５５…凹部、５６…横スリット、５７…縦スリット、５８…第１上下スリット、５９…第２底板、６０…挿入仕切板、６１…第２仕切板、６２…第２上下スリット、６３…凹部
【図１】
2017131330.tif 000003
【図２】
2017131330.tif 000004
【図３】
2017131330.tif 000005
【図４】
2017131330.tif 000006
【図５】
2017131330.tif 000007
【図６】
2017131330.tif 000008
【図７】
2017131330.tif 000009
【図８】
2017131330.tif 000010
【図９】
2017131330.tif 000011
【図１０】
2017131330.tif 000012